(57)【要約】【課題】バルーンを膨張させて管路を開閉する。【解決手段】導管２のに２枚の鍔７をボルト締めする。鍔の周囲には間隔を存してブラケット９を取り付け、これに外向きにボルト１０を螺合しておく。鍔と鍔の間にはドーナツ型バルーン１３を、導管２の内部にも別のバルーン１６をそれぞれ収納しておく。流れを遮断しようとする下水管内において、ボルト１０を均等に締め付け、下水管２５内壁を押し広げるようにして、鍔７の周囲を下水管内壁に固定する。次いで、２つのバルーンに空気を圧入して膨張させる。【選択図】図２
2005121057.tif 000002
【特許請求の範囲】
【請求項１】
導管と、その周囲に相互に間隔を存して、取外し自在に支持される２枚の鍔と、それら鍔と鍔の間に収められ、流体を圧入して膨張させることで管路と該導管の間を塞ぐドーナツ状のバルーンと、該導管内の流路を開閉する手段からなるバルーン式管路開閉装置。
【請求項２】
該鍔が円周方向にいくつかに分割され、隣のもの同士、ボルトで結合するようにした請求項１に記載のバルーン式管路開閉装置。
【請求項３】
該鍔の周縁に沿って間隔を設けて複数のブラケットを固定し、各ブラケットに外向きにボルトを螺合し、それらボルトを締め付けて先端を管路内壁に押し当てるようにして該鍔の周縁部を管路内壁に保持させるようにした請求項１または２に記載のバルーン式管路開閉装置。
【請求項４】
該導管内の流路を開閉する手段が、該導管の中に収めた、流体を圧入排出することで膨張収縮するバルーンで構成される請求項１、２または３に記載のバルーン式管路開閉装置。
【発明の詳細な説明】
【技術分野】
【０００１】
本発明は、工事の際などに、下水管等管路内に取り付けて、流路を閉じたり開いたりするための装置である。
【背景技術】
【０００２】
下水管の工事で、バルーンを用いて下水道を一時的に閉鎖するための装置が従来用いられている（下記特許文献１参照）。この装置は、導管の周りにドーナツ状のバルーンがはめ込んであり、下水管の中でバルーンに圧縮空気を入れて膨らますと、下水管と導管の間が膨張したバルーンで閉じられ、同時に導管はバルーンで周りから締め付けられ、下水管の中に保持される。また、導管の中にも別のバルーンが収めてあり、これに空気を圧入して膨らますと、導管の内部が閉じられ、下水の流れを止めることができる。
【０００３】
このような従来の管路開閉装置は、ドーナツバルーンを膨張させると、ある程度までは下水管の内壁に密着するようになるが、その後空気をいくら押し込んでも、バルーンが軸方向（厚み方向）に膨らんしまって、下水管内壁に及ぼす密着力が増大せず、開閉装置が安定しないという欠点があった。
【特許文献１】第２９０００２２号特許公報
【発明の開示】
【発明が解決しようとする課題】
【０００４】
この発明は、従来のバルーン式管路開閉装置を改良し、装置自体を管路内にしっかりと固定することができるようにすることを課題とする。
【課題を解決するための手段】
【０００５】
この発明の管路開閉装置は、導管の周囲に、２枚の鍔を相互に間隔を設けて取外し自在に支持する。それら鍔と鍔の間に、流体（気体または液体）を圧入して膨張させることで管路と導管の間を塞ぐドーナツ状のバルーンを収納する。導管には、その内部の流路を開閉する手段を設ける（請求項１）。
【０００６】
このものでは、２枚の鍔の間にドーナツ状のバルーンを収めるようにしたので、ドーナツバルーンは、流体を圧入して膨張させたとき、２枚の鍔に拘束されているので、軸方向には膨張せず、外側方向にだけ膨張する。したがって、バルーンは管路の内壁に大きな圧力を及ぼすことができ、これにより、管路内壁とバルーンの間の液漏れがなくなるだけでなく、開閉装置自体を管路内にしっかりと固定することができる効果がある。
【０００７】
なお、鍔は管路の内径と同じくらい大きなものなので、導管に固定しないで、取外しできるようにしておく。これによって、保管、工事現場への搬送が容易になる。さらに、鍔は円周方向にいくつかに分割しておき、隣のもの同士、ボルトで結合するようにすることが好ましい（請求項２）。こうしておけば、マンホール入口のような狭いところも通過することができ、マンホール内で組立てて管路内に設置することもできる。
【０００８】
好ましくは、鍔の周縁に沿って間隔をあけて複数のブラケットを固定し、各ブラケットに外向きにボルトを螺合し、それらボルトを締め付けて先端を管路内壁に押し当てるようにして鍔の周縁部を管路内壁に保持させるようにするとよい（請求項３）。こうすれば、管路内に本装置を確実に支持することができ、安全性が高まる。
【０００９】
導管内の流路を開閉する手段は、バタフライバルブのような弁装置でもよいが、従来どおり、導管の中に収めた、流体を圧入・排出することで膨張・収縮するバルーンで構成することができる（請求項４）。
【発明を実施するための最良の形態】
【００１０】
この管路開閉装置１は図１〜図３に示すように、導管の中央に、中心が抜けたドラム状の取付台３を溶接する。取付台の両端面にはボルト孔５が一定間隔で穿設してあり、各ボルト孔の位置に合わせて取付台３の内側に袋ナットを溶接しておく（図２）。
【００１１】
取付台の両端面に取り付ける鍔７は、図１に示すように、２つ割りになっており、ボルト７ｄで互に締め付けて一体になる。鍔７の周縁に沿って間隔を存してブラケット９を溶接し、これに溶接したナット９ａにボルトを外に向けて螺合する。このボルトの先が直接当たると下水管内面に傷が付くので、保護パッド１１を用意する。保護パッド１１は金属製の箱の外面にゴム板１１ａを張ったものである。符号１４は補強材である。
【００１２】
このように構成された鍔７を取付台３の端面にあてがい、中心穴７ａの周りに穿設したボルト孔７ｂにボルト１２を挿入してその先を取付台内側の袋ナット６に螺合、緊締する。取付台３の周囲（２枚の鍔７の間）にはドーナツ型バルーン１３を収納しておく。このドーナツ型バルーンは自動車のタイヤチューブと略同じものであり、ゴムを主体とする材料で造ることができる。バルーンの空気管１３ａは取付台３と鍔７を貫通して外に引き出す（図２）。なお、鍔７は２つ割りになっているので、その合わせ目７ｃでバルーン１３が傷つかないよう、鍔との間にゴム板など保護シート１５を挟むようにするとよい。
【００１３】
導管２の内部にも別のバルーン１６（俵状に膨張する。）を収納しておく。このバルーンもドーナツバルーンと同じ材料で作ることができる。バルーン１６の一端から延びる金属製の空気管１６ａは、導管２の内部に固定したブラケット１７に支持されている。
【００１４】
図４はマンホール２０の底にあるインバート２１の補修工事の様子を示したものであり、工事の手順はまず、マンホールの蓋２２を開けて、マンホール２０の中に、導管２および鍔７を運び入れる。鍔７は２つ割りになっているのでマンホールの口を通過することができる。導管２は細長いので、問題なく口を通る。こうして運び込んだら、図４に鎖線で示すように、マンホール内に仮設した組立台２３の上でこの開閉装置１を組み立てる。
【００１５】
組立が終わったら、図４に実線で示すように、開閉装置１を下水管２５の中に運び入れる。次いで、各ブラケット９に螺合してあるボルト１０をゆるく締めて、ボルトの先と下水管内面の間にパッド１１を挟み込む。こうしてボルト１０を均等に締め付け、下水管２５内壁を押し広げるようにして、鍔７の周囲を下水管内壁に固定する。
【００１６】
次いで、コンプレッサーから２つのバルーン１３，１６に圧縮空気を送り込んで膨張させる。内側のバルーン１６は俵状に膨張して導管２の内部を塞ぐ。外側のバルーン１３はドーナツ状に膨張して導管２と下水管２５の間を塞ぐ。外側のバルーン１３は、両側を鍔７で挟まれているので、径が拡大する方向に膨張する。したがって、膨らんだバルーン１３が下水管２５の内面にしっかり密着し、装置が安定した状態に保持される。
【００１７】
こうしてマンホールに流れ込む下水が遮断され、マンホール内でインバートの工事を行うことができる。なお、図４に鎖線で示すように、導管２の先にホース２６を接続し、導管２内のバルーン１６を収縮させれば、下水はホースを通って別のところに排出することができる。
【図面の簡単な説明】
【００１８】
【図１】管路開閉装置の分解斜視図である。
【図２】同じく断面図である。
【図３】同じく正面図である。
【図４】管路開閉装置の使用状態を示したものである。
【符号の説明】
【００１９】
１    管路開閉装置
２    導管
３    取付台
７    鍔
９    ブラケット
１０  ボルト
１３  バルーン
１６  バルーン
２５  下水管
【図１】
2005121057.tif 000003
【図２】
2005121057.tif 000004
【図３】
2005121057.tif 000005
【図４】
2005121057.tif 000006